(57)【要約】【課題】包装した商品の展示効果を妨げることがなく、しかも、これらの商品をそのまま持ち運ぶことができ、使用後の廃棄処分も容易な展示袋兼用持運び袋を提供する。【解決手段】合成樹脂製フィルムからなる前後片１、２の左右側縁部３と底縁部４とをシールして袋体を形成する。底縁部４の左右側縁部３がわ端部を切り欠いて袋体に収納する商品の幅に合わせて底縁部４が広がる調整孔５を形成する。前片１の上端を上方に延長して袋体の開口部を施蓋する蓋部６を形成する。商品Ｐの上部に１枚の板紙が折り畳まれて断面略Ｌ字形状に形成された補強取手８を配設する。該補強取手８に前記後片２の取手孔２Ａに重なる持運び用の取手孔８Ａを開穿する。商品Ｐ持運び時において後片２の取手孔２Ａから補強取手８の取手孔８Ａにかけて把持するように設ける。【選択図】図１
0003146227.tif 000002
【実用新案登録請求の範囲】
【請求項１】
複数個の商品をセットにした状態で収納する展示袋兼用持運び袋において、合成樹脂製フィルムからなる前後片の左右側縁部と底縁部とをシールして袋体を形成し、底縁部の左右側縁部がわ端部を切り欠いて袋体に収納する商品の幅に合わせて底縁部が広がる調整孔を形成し、前片の上端を上方に延長して袋体の開口部を施蓋する蓋部を形成し、該蓋部の内側に蓋部と後片とを接着する帯状のシール部を設け、商品持運び用の取手孔を後片に開穿したことを特徴とする展示袋兼用持運び袋。
【請求項２】
前記商品の上部に断面略Ｌ字形状に形成された補強取手を配設し、該補強取手に前記後片の取手孔に重なる持運び用の取手孔が開穿され、商品持運び時において補強取手の上から前記蓋部を施蓋して前記後片に蓋部を接着し、前記後片の取手孔から補強取手の取手孔にかけて把持するように設けられた請求項１記載の展示袋兼用持運び袋。
【請求項３】
前記補強取手は、略矩形状の板紙で複数枚に折り畳み自在に形成され前記商品と前記蓋部との間に配設される天板と、該天板の一方の外側縁から延長され前記後片の内側と商品との間に配設される側板とから構成され、該側板に前記後片の取手孔に重なる取手孔を形成すると共に、該取手孔の上縁部から折り畳み自在に形成され側板の内側に重合する補強片を設けた請求項２記載の展示袋兼用持運び袋。
【請求項４】
前記袋体は、厚さ0.03〜0.1mmのポリプロピレンフィルムに厚さ0.015 mmのナイロンフィルムがラミネートされたフィルム材にて形成された請求項１乃至３いずれか記載の展示袋兼用持運び袋。
【考案の詳細な説明】
【技術分野】
【０００１】
本考案は、たとえば、各種商品を包装したままで展示し、且つ、展示状態のまま持ち運ぶことができる展示袋兼用持運び袋に関する。
【背景技術】
【０００２】
スーパーマーケット等の展示棚に並べられる商品は、個々の商品が陳列されるだけではなく、例えば、シャンプーとリンスの如く、使用目的等が関連する商品をセットにして展示・販売することなども行われている。このような販売には、複数の商品をセットで包装して展示すると共に、購買者がこの包装のまま持ち運べるように、厚手のＰＰ等を用いたケース状の包装体が使用されている。
【０００３】
例えば、特許文献１に記載の陳列パックは、廃棄ＰＥＴ材を利用して形成した陳列パックをそのまま持ち運びできるように構成したものである。
【０００４】
特許文献１に示される陳列パックによると、果物等の形状に合わせて収納部や膨出部等を形成するために、パック自体のサイズが大きくなってしまう不都合があった。このように、陳列パックのサイズが大きくなるということは、例えば、スーパーマーケットやコンビニエンスストア等の展示棚に効率良く商品を展示することができなくなるという重大な問題を抱えることになる。しかも、厚手の合成樹脂材で形成したパックでは、家庭でリサイクルのために分別廃棄する際に、このパックを小さく潰す作業等に多くの手間を要する不都合もある。
【０００５】
一方、商品をセットで包装する従来のケース状包装体においても、そのまま持ち運びが可能になるように材質を厚くする傾向にある。このため、収納する商品に合わせて包装体を形成したとしても厚手の包装体自体が嵩張ることになる。したがって、スペースが限られている展示棚に展示する場合、包装体のない商品を展示する数よりも包装体を使用して展示する商品の数のほうが明らかに少なくなっていた。この種の展示棚のスペースは、各販売店において展示効率に極めて合理性が追求されているため、この展示棚に展示される競合メーカーにとっては、限られたスペースにできるだけ多くの自社商品を展示しようとする激戦スペースとして知られている。したがって、商品をセットで包装する包装体においても、より合理的な展示が可能な包装体が求められていた。
【０００６】
そこで、当考案者は、包装した複数の商品を極めて合理的に展示することが可能で、これらの商品をそのまま持ち運ぶことができる展示袋兼用持運び袋を先に提案している（特許文献２）。
【特許文献１】特開２００１−３９４８０号公報
【特許文献２】実用新案３１３５７２１号公報
【考案の開示】
【考案が解決しようとする課題】
【０００７】
ところが、特許文献２の展示袋兼用持運び袋では、商品を収納するために、左右側片にマチ部を設けた袋体を使用しているので、袋体の形成に多くの手間やコストがかかるものであった。そこで、マチ部を形成しない袋体を使用して製造コストを低減すると、袋体の底部から左右の側縁にかけて大きなしわや変形が生じることになる。そのため、商品を収納しながら展示する袋としては不適当であった。
【０００８】
また、特許文献２の展示袋兼用持運び袋によると、商品の上部から前面にかけて被着する断面略Ｌ字形状の補強シートを形成し、該補強シートの近傍に持運び用の取手孔を開穿し、持運び時において、袋体の内部で取手孔から補強シートにかけて把持するように設けたものである。このように、断面略Ｌ字形状を成した補強シートでは、補強シートのＬ字部分の強度が十分でなければ商品の重量で袋体の開口部が大きく開いたり破れたりするおそれが生じる。そのため、補強シートの材質の強度を高める必要があるので、硬質のプラスチック材など使用後に分別廃棄しなければならない材料が用いられるものであった。
【０００９】
そこで、本考案は上述の課題を解消すべく案出されたもので、包装した商品の展示効果を妨げることがなく、しかも、これらの商品をそのまま持ち運ぶことができ、使用後の廃棄処分も容易な展示袋兼用持運び袋の提供を目的とするものである。
【課題を解決するための手段】
【００１０】
本考案の第１の手段は、複数個の商品Ｐをセットにした状態で収納する展示袋兼用持運び袋において、合成樹脂製フィルムからなる前後片１、２の左右側縁部３と底縁部４とをシールして袋体を形成し、底縁部４の左右側縁部３がわ端部を切り欠いて袋体に収納する商品の幅に合わせて底縁部４が広がる調整孔５を形成し、前片１の上端を上方に延長して袋体の開口部を施蓋する蓋部６を形成し、該蓋部６の内側に蓋部６と後片２とを接着する帯状のシール部７を設け、商品Ｐ持運び用の取手孔２Ａを後片２に開穿したことにある。
【００１１】
第２の手段は、前記商品Ｐの上部に断面略Ｌ字形状に形成された補強取手８を配設し、該補強取手８に前記後片２の取手孔２Ａに重なる持運び用の取手孔８Ａが開穿され、商品Ｐ持運び時において補強取手８の上から前記蓋部６を施蓋して前記後片２に蓋部６を接着し、前記後片２の取手孔２Ａから補強取手８の取手孔８Ａにかけて把持するように設けられている。
【００１２】
第３の手段の前記補強取手８は、略矩形状の板紙で複数枚に折り畳み自在に形成され前記商品Ｐと前記蓋部６との間に配設される天板８Ｂと、該天板８Ｂの一方の外側縁から延長され前記後片２の内側と商品Ｐとの間に配設される側板８Ｃとから構成され、該側板８Ｃに前記後片２の取手孔２Ａに重なる取手孔８Ａを形成すると共に、該取手孔８Ａの上縁部から折り畳み自在に形成され側板８Ｃの内側に重合する補強片８Ｄを設けたものである。
【００１３】
第４の手段の前記袋体は、厚さ0.03〜0.1mmのポリプロピレンフィルムに厚さ0.015 mmのナイロンフィルムがラミネートされたフィルム材にて形成されたことを課題解消のための手段とする。
【考案の効果】
【００１４】
本考案の請求項１の如く、合成樹脂製フィルムからなる前後片１、２の左右側縁部３と底縁部４とをシールして袋体を形成し、底縁部４の左右側縁部３がわ端部を切り欠いて袋体に収納する商品の幅に合わせて底縁部４が広がる調整孔５を形成しているので、商品Ｐを展示する際に、合成樹脂の袋体は商品Ｐの輪郭に沿って自由に変形する。この結果、スペースが限られている展示棚に、セットで包装した商品を展示した場合でも、この包装が展示の妨げにならずに済み、包装されない商品を展示できる数と変わらずに展示することが可能になった。しかも、袋体は、合成樹脂製フィルムからなる前後片１、２の左右側縁部３と底縁部４とをシールしたシンプルな構成であるから、極めて安価な提供が可能になる。
【００１５】
また、請求項２により、前記商品Ｐの上部に断面略Ｌ字形状に形成された補強取手８を配設し、該補強取手８に前記後片２の取手孔２Ａに重なる持運び用の取手孔８Ａが開穿されているので、合成樹脂製フィルムの袋体でも、商品Ｐを持ち運ぶことが十分可能になっている。
【００１６】
更に、請求項３に記載の補強取手８により、商品Ｐの展示に妨げとなることはなく、複数の商品Ｐをセットした状態で把持することができる。また、複数枚に折り畳み自在に形成される天板８Ｂと、取手孔８Ａの上縁部から折り畳み自在に形成され側板８Ｃの内側に重合する補強片８Ｄとにより、補強取手８の支持強度を高めることができるので、商品の重量で袋体の開口部が大きく開いたり破れたりするおそれは解消された。しかも、補強取手８は板紙にて形成されているので、使用後の廃棄処分が容易である。
【００１７】
そして、請求項４に記載の袋体により、厚さ0.06〜0.1mmのポリプロピレンフィルムに厚さ0.015 mmのナイロンフィルムがラミネートされたフィルム材を使用することで、合成樹脂製フィルムの袋体でも、複数の商品Ｐをセットにして持運ぶことが可能になるものである。
【００１８】
このように本考案によると、包装した商品の展示効果を妨げることがなく、しかも、これらの商品をそのまま持ち運ぶことができ、使用後の廃棄処分も容易になるなどといった実用上有益な種々の効果を奏するものである。
【考案を実施するための最良の形態】
【００１９】
本考案の最良の形態は、合成樹脂製フィルムからなる前後片１、２の左右側縁部３と底縁部４とをシールして袋体を形成する。底縁部４の左右側縁部３がわ端部を切り欠いて袋体に収納する商品の幅に合わせて底縁部４が広がる調整孔５を形成する。前片１の上端を上方に延長して袋体の開口部を施蓋する蓋部６を形成し、該蓋部６の内側に蓋部６と後片２とを接着する帯状のシール部７を設ける。商品Ｐ持運び用の取手孔２Ａを後片２に開穿する。商品Ｐの上部に１枚の板紙が折り畳まれて断面略Ｌ字形状に形成された補強取手８を配設する。補強取手８は、略矩形状の板紙で複数枚に折り畳み自在に形成され前記商品Ｐと前記蓋部６との間に配設される天板８Ｂと、該天板８Ｂの一方の外側縁から延長され前記後片２の内側と商品Ｐとの間に配設される側板８Ｃとで構成される。該側板８Ｃに前記後片２の取手孔２Ａに重なる取手孔８Ａを形成すると共に、該取手孔８Ａの上縁部から折り畳み自在に形成され側板８Ｃの内側に重合する補強片８Ｄを設けることで、当初の目的を達成するものである。
【実施例】
【００２０】
本考案で使用する合成樹脂製フィルムの袋体は、複数個の商品Ｐがセットになった状態で収納し、そのまま持ち運ぶように設けたものである。袋体の材質として、例えば、厚さ0.03〜0.1mmのポリプロピレンフィルムに厚さ0.015 mmのナイロンフィルムがラミネートされたフィルム材にて形成された袋体を使用することで、図示例の如く、700ml入りのシャンプーとリンスとを２本セットにして持ち運ぶことが可能になっている（図１参照）。また、このほか、袋体の材質として、OPPフィルムシート、CCPフィルム、PEフィルム、A-PETフィルム、PETフィルムシート、OPSフィルムなどの使用も可能である。更に収納する商品Ｐも、図示例の他、例えば缶ビール等の飲食物など、任意の商品を収納することができる。
【００２１】
このような袋体は、合成樹脂製フィルムからなる前後片１、２の左右側縁部３と底縁部４とをシールして形成している（図３参照）。そして、底縁部４の左右側縁部３がわ端部を切り欠いて調整孔５を形成する。図示例の調整孔５は略鉤形状に切り欠いている。このように袋体を形成することで、袋体に収納する商品の幅に合わせて底縁部４が広がるものである（図１参照）。
【００２２】
更に、前片１の上端を上方に延長して袋体の開口部を施蓋する蓋部６を形成し、該蓋部６の内側に蓋部６と後片２とを接着する帯状のシール部７を設ける（図３参照）。このシール部７は、例えば両面接着テープなどを使用する。商品Ｐ収納時には、この蓋部６で袋体の開口部を施蓋し、シール部７で後片２に貼り付けるものである（図２参照）。この後片２には、商品Ｐ持運び用の取手孔２Ａが開穿されている（図３参照）。
【００２３】
取手孔２Ａは、持ち運ぶ際に手指を挿入する孔である。商品Ｐが軽量な場合はこの取手孔２Ａに手指を挿入して持ち運ぶことができるが、商品Ｐが重量物の場合には、そのままでは、取手孔２Ａの周囲が変形してしまい、バランスが崩れたり見栄えが悪くなったりするおそれがある。そこで、商品Ｐの上部に断面略Ｌ字形状に形成された補強取手８を配設する（図１、図２参照）。図示の取手孔２Ａには、フラップ２Ｂが設けられており、取手孔２Ａに手指を挿入した際に、このフラップ２Ｂが袋体の内部に折込まれて後述する補強取手８と後片２とを一体に把持できるように設けている（図２、図３参照）。このようなフラップ２Ｂにより、違和感なく補強取手８を持つことが可能になる。
【００２４】
この補強取手８には、後片２の取手孔２Ａに重なる持運び用の取手孔８Ａが開穿されており、後片２の取手孔２Ａから補強取手８の取手孔８Ａにかけて把持するように構成されている。すなわち、商品Ｐ持運び時において、補強取手８の上から前記蓋部６を施蓋して前記後片２に蓋部６を接着し（図２参照）、取手孔２Ａと取手孔８Ａとに手指を挿入して把持する。こうすることで、取手孔２Ａ周囲の変形を防止し、収納された商品Ｐがセットされたまま持ち運ぶことができるものである。
【００２５】
この補強取手８は、合成樹脂製又は紙製にて形成されるもので、補強取手８を透明な合成樹脂材にて形成した場合は、この補強取手８を通して商品Ｐを見ることも可能になる。図示例では、天板８Ｂが折り畳み自在に形成された紙製の補強取手８を示している。すなわち、天板８Ｂと側板８Ｃとで構成され、取手孔８Ａのほか、補強片８Ｄを有するものである。天板８Ｂは、略矩形状の板紙で複数枚に折り畳み自在に形成されており、折り畳まれた状態で商品Ｐと蓋部６との間に配設されるものである（図４参照）。側板８Ｃは、天板８Ｂの一方の外側縁から延長されたもので、後片２の内側と商品Ｐとの間に配設される。前記取手孔８Ａは、この側板８Ｃに開穿されている。補強片８Ｄは、取手孔８Ａの上縁部から折り畳み自在に形成されたもので、側板８Ｃの内側に重合することで、側板８Ｃの支持強度を高めている（図１、図２参照）。
【００２６】
商品Ｐを展示する場合は、本考案袋にセット商品Ｐを収納して展示しても、商品Ｐをそのまま展示するスペースと何等変わらないスペースに展示できる（図５参照）。また、消費者がこの袋体を持って棚から取り出そうとすると、消費者の指先が自然に取手孔２Ａに差し込まれると共に、補強取手８をつかむ状態になっているから、そのまま直感的に持ち運ぶことができるようになっている。
【００２７】
尚、図示例の各構成は、本考案の一実施例に過ぎず、袋体の形状や色彩の変更、透明感の選択や補強取手８の形状、材質の変更などは、収納する商品Ｐの形態に応じて自由に選択できるものであり、本考案の要旨を変更しない範囲において変更することができる。
【図面の簡単な説明】
【００２８】
【図１】本考案の一実施例を示す分解斜視図である。
【図２】本考案の収納状態を示す縦断面図である。
【図３】本考案袋体を示す背面図である。
【図４】本考の補強取手の一実施例を示す展開図である。
【図５】本考案の展示状態を示す要部斜視図である。
【符号の説明】
【００２９】
Ｐ  商品
１  前片
２  後片
２Ａ  取手孔
２Ｂ  フラップ
３  左右側縁部
４  底縁部
５  調整孔
６  蓋部
７  シール部
８  補強取手
８Ａ  取手孔
８Ｂ  天板
８Ｃ  側板
８Ｄ  補強片
【図１】
0003146227.tif 000003
【図２】
0003146227.tif 000004
【図３】
0003146227.tif 000005
【図４】
0003146227.tif 000006
【図５】
0003146227.tif 000007